(57)【要約】【課題】スプリンクラー設備の施工を容易にする。【解決手段】スプリンクラー設備の配管構造は、給水配管１０に接続される主管接続部２２と、枝配管１４にそれぞれ接続される複数の分岐接続部２４とを有するヘッダー１２によって、給水配管１０から複数の経路に分岐させている。枝配管１４には、ヘッド継手１６が接続されて、ヘッド継手１６にスプリンクラーヘッド１８が接続されている。ヘッダー１２およびヘッド継手１６のそれぞれは、枝配管１４との接続状態で自身に対する枝配管１４の相対的な回転を許容する枝管接続機構を有している。【選択図】図２
2019170717.tif 000002
【特許請求の範囲】
【請求項１】
ヘッダー本体部の一端に設けられて、給水上流側の給水配管に接続される主管接続部と、該ヘッダー本体部に複数設けられた分岐接続部とを有し、該主管接続部を介して該給水配管から供給された水を該分岐接続部により複数の経路に分岐するヘッダーと、
湾曲可能な可撓性を有し、前記分岐接続部に一端が接続される枝配管と、
継手本体部における給水上流側の一端に設けられて、前記枝配管の他端に接続される枝管接続部と、該継手本体部における給水下流側の他端に設けられたヘッド接続部とを有するヘッド継手と、
前記ヘッド接続部に接続されるスプリンクラーヘッドと、を備え、
前記分岐接続部および前記枝管接続部のそれぞれは、前記枝配管との接続状態で自身に対する該枝配管の相対的な回転を許容する枝管接続機構を有し、
前記枝管接続機構は、該枝管接続機構が設けられた前記分岐接続部または前記枝管接続部を前記枝配管の内側へ差し込むことで該枝配管を機械的に抜け止めするワンタッチ接続構造である
ことを特徴とするスプリンクラー設備の配管構造。
【請求項２】
前記ヘッダーは、前記主管接続部に接続された前記給水配管に対する前記ヘッダー本体部の回転を許容するヘッダー接続機構を有している請求項１記載のスプリンクラー設備の配管構造。
【請求項３】
前記ヘッダー接続機構は、前記ヘッダー本体部と前記主管接続部とを嵌め合わせることで該主管接続部に対して該ヘッダー本体部を機械的に抜け止めするワンタッチ接続構造である請求項２記載のスプリンクラー設備の配管構造。
【請求項４】
前記ヘッダーは、前記主管接続部が上向きになると共に前記ヘッダー本体部から突出する前記分岐接続部が横向きになる姿勢で設置されている請求項１〜３の何れか一項に記載のスプリンクラー設備の配管構造。
【請求項５】
前記ヘッド継手は、前記スプリンクラーヘッドとの接続状態で前記継手本体部に対する該スプリンクラーヘッドの相対的な回転を許容するよう構成されている請求項１〜４の何れか一項に記載のスプリンクラー設備の配管構造。
【発明の詳細な説明】
【技術分野】
【０００１】
この発明は、散水により消火を図るスプリンクラー設備の配管構造に関するものである。
【背景技術】
【０００２】
スプリンクラー設備は、給水源に繋がる給水配管に接続したヘッダーに複数の枝配管を接続することで複数の経路に分岐させた後、天井裏に敷設した枝配管の先端に取り付けたエルボに、スプリンクラーヘッドを接続した配管構造となっている(例えば、特許文献１参照)。近年、枝配管としては、他の配管や設備との干渉を回避し得る自由度を向上できると共に狭い天井裏において施工できることから、金属や樹脂の直管に替えて、湾曲変形させることが可能な可撓性を有する可撓管が採用されている。
【０００３】
枝配管として用いられる可撓管は、現場に搬入された後、コイル状に丸めるように巻かれ、この巻いた姿で天井裏に運び込まれる。枝配管は、天井裏に設置されたヘッダーに対して一端を接続した後、そのまま延ばすと円環が連なるようになって経路が長くなるので、コイルのねじれに応じて、コイル状になった他端を回転させながら延ばして敷設される。そして、枝配管に対してねじ等により接続されるエルボに取り付けられたスプリンクラーヘッドを下向き姿勢になるように調整する。
【先行技術文献】
【特許文献】
【０００４】
【特許文献１】特開２０１２−１１０４８７号公報
【発明の概要】
【発明が解決しようとする課題】
【０００５】
近年、スプリンクラー設備の設置件数が増加しているものの、スプリンクラー設備を設置できる専門知識や技能等の高度な技術力を有する作業者が減少し、技術力が低い作業者が増加している傾向にある。そのため、作業者の技術力の高低に左右されずに容易に施工でき、かつ施工性に優れるスプリンクラー設備が社会的に求められている。前述した可撓管からなる枝配管の施工は、コイル部分を回転させてねじれを解消する作業が面倒であり、またコイル部分を回転するために天井裏での取り回しにスペースが必要になってしまう。また、枝配管における巻いた姿のねじれに由来して、スプリンクラーヘッドを下向き姿勢にするための調節が難しいなど、従来のスプリンクラー設備は、設置作業の施工性が悪い。特に、ヘッダーと枝配管との接続や枝配管と継手との接続などの接続作業には、作業者に高度な技術力が必要であり、技術力が低い作業者は、施工することが難しく、また施工を任せることもできない。
【０００６】
本発明は、従来の技術に係る前記問題に鑑み、これらを好適に解決するべく提案されたものであって、作業者の技術力に左右されずに容易に施工でき、かつ施工性に優れたスプリンクラー設備の配管構造を提供することを目的とする。
【課題を解決するための手段】
【０００７】
前記課題を克服し、所期の目的を達成するため、本願の請求項１に係る発明のスプリンクラー設備の配管構造は、
ヘッダー本体部の一端に設けられて、給水上流側の給水配管に接続される主管接続部と、該ヘッダー本体部に複数設けられた分岐接続部とを有し、該主管接続部を介して該給水配管から供給された水を該分岐接続部により複数の経路に分岐するヘッダーと、
湾曲可能な可撓性を有し、前記分岐接続部に一端が接続される枝配管と、
継手本体部における給水上流側の一端に設けられて、前記枝配管の他端に接続される枝管接続部と、該継手本体部における給水下流側の他端に設けられたヘッド接続部とを有するヘッド継手と、
前記ヘッド接続部に接続されるスプリンクラーヘッドと、を備え、
前記分岐接続部および前記枝管接続部のそれぞれは、前記枝配管との接続状態で自身に対する該枝配管の相対的な回転を許容する枝管接続機構を有し、
前記枝管接続機構は、該枝管接続機構が設けられた前記分岐接続部または前記枝管接続部を前記枝配管の内側へ差し込むことで該枝配管を機械的に抜け止めするワンタッチ接続構造であることを要旨とする。
請求項１に係る発明によれば、枝管接続機構によって、枝配管がヘッダーの分岐接続部に対して回転可能であるので、天井において枝配管の施工を容易に行うことができる。また、枝管接続機構によって、ヘッド継手が枝配管に対して回転可能であるので、天井においてスプリンクラーヘッドを適切な姿勢で容易に設置することができる。更に、枝配管をヘッダーおよびヘッド継手の両方にワンタッチで接続することができるので、枝配管、ヘッダーおよびヘッド継手の組み付け作業を容易に、かつ効率的に行うことができる。
【０００８】
請求項２に係る発明では、前記ヘッダーは、前記主管接続部に接続された前記給水配管に対する前記ヘッダー本体部の回転を許容するヘッダー接続機構を有していることを要旨とする。
請求項２に係る発明によれば、給水配管に対してヘッダー本体部が回転可能であるから、ヘッダー本体部に設けられた分岐接続部の向きを変えることができ、枝配管を所定位置まで伸ばす作業を容易に、かつ効率的に行うことができる。
【０００９】
請求項３に係る発明では、前記ヘッダー接続機構は、前記ヘッダー本体部と前記主管接続部とを嵌め合わせることで該主管接続部に対して該ヘッダー本体部を機械的に抜け止めするワンタッチ接続構造であることを要旨とする。
請求項３に係る発明によれば、主管接続部とヘッダー本体部とをワンタッチで接続することができるので、ヘッダーの組み付け作業を容易に、かつ効率的に行うことができる。
【００１０】
請求項４に係る発明では、前記ヘッダーは、前記主管接続部が上向きになると共に前記ヘッダー本体部から突出する前記分岐接続部が横向きになる姿勢で設置されていることを要旨とする。
請求項４に係る発明によれば、ヘッダーの占める水平スペースを抑えることができると共に、横向きに伸ばされる枝配管の施工を容易に、かつ効率的に行うことができる。
【００１１】
請求項５に係る発明では、前記ヘッド継手は、前記スプリンクラーヘッドとの接続状態で前記継手本体部に対する該スプリンクラーヘッドの相対的な回転を許容するよう構成されていることを要旨とする。
請求項５に係る発明によれば、スプリンクラーヘッドの向きを調整することができる。
【発明の効果】
【００１２】
本発明に係るスプリンクラー設備の配管構造によれば、作業者の技術力に左右されずに、容易に、かつ効率的に施工することができる。
【図面の簡単な説明】
【００１３】
【図１】本発明の好適な実施例に係るスプリンクラー設備の配管構造を概略的に示す平面図である。
【図２】実施例のスプリンクラー設備の配管構造を概略的に示す側面図である。
【図３】実施例のヘッダーを示す側面図である。
【図４】実施例のヘッダーを示す断面図であり、(ａ)は主管接続部を分解した状態を示し、(ｂ)は主管接続部を組み付けた状態の要部を示す。
【図５】(ａ)は、実施例のヘッダーの分岐接続部を側面から示す拡大図であり、(ｂ)は分岐接続部を拡大して示す断面図である。
【図６】実施例のヘッド継手およびスプリンクラーヘッドについて、組み付けた状態を示す側面図である。
【図７】実施例のヘッド継手およびスプリンクラーヘッドについて、分解した状態を示す側面図である。
【図８】(ａ)は実施例のヘッド継手の枝管接続部を側面から示す拡大図であり、(ｂ)は枝管接続部を拡大して示す断面図である。
【図９】実施例のヘッド継手のヘッド接続部を示す断面図であり、(ａ)は継手本体部とヘッド接続部とを分解した状態を示し、(ｂ)は継手本体部とヘッド接続部とを組み付けた状態を示す。
【図１０】実施例のファスナーを、図６のＡ−Ａ線に対応する部位で切断して示す断面図であり、継手本体部(ヘッド接続部)および本体フランジ部(取付フランジ部)を二点鎖線で示す。
【発明を実施するための形態】
【００１４】
次に、本発明に係るスプリンクラー設備の配管構造につき、好適な実施例を挙げて、添付図面を参照して以下に説明する。
【実施例】
【００１５】
図１および図２に示すように、実施例に係るスプリンクラー設備の配管構造は、給水上流側の給水配管１０に接続するヘッダー１２と、ヘッダー１２に接続する枝配管１４と、枝配管１４に接続するヘッド継手１６と、ヘッド継手１６に接続するスプリンクラーヘッド１８とを備えている。配管構造は、建築物の天井に設けられており、金属等の直管からなる給水配管１０から供給された水をヘッダー１２において複数(実施例では４系統)の経路に分岐している。また、ヘッダー１２から分岐した枝配管１４の先端には、放水口を下に向けたスプリンクラーヘッド１８がヘッド継手１６を介して接続されており、各枝配管１４を通った水がヘッド継手１６を介してスプリンクラーヘッド１８から散布される。なお、天井には、複数のスプリンクラーヘッド１８が所定間隔をあけて並べて配置されており、実施例では、同じヘッダー１２に繋がる４つのスプリンクラーヘッド１８が、ヘッダー１２を中心とする四角形の角に位置するように配置されている(図１参照)。なお、図２の符号５２は、スプリンクラーヘッド１８が通る天井の開口を目隠しするカバーであり、スプリンクラーヘッド１８に取り付けられる。
【００１６】
図３および図４に示すように、ヘッダー１２は、ヘッダー本体部２０の一端に設けられ、給水配管１０に接続される主管接続部２２と、ヘッダー本体部２０に複数設けられた分岐接続部２４とを有している。ヘッダー１２は、主管接続部２２を介して給水配管１０からヘッダー本体部２０に受け入れた水を、ヘッダー本体部２０に設けられた複数(実施例では４箇所)の分岐接続部２４によって複数の経路に分岐する。ヘッダー１２は、下端(他端)が閉塞する円筒形に形成されたヘッダー本体部２０の上端(一端)に主管接続部２２が設けられ、複数の分岐接続部２４が主管接続部２２より下側に位置してヘッダー本体部２０の周面から突出するように形成されている。ヘッダー１２には、ヘッダー本体部２０の給水上下流方向へ離れると共に給水上下流方向の同一ライン上に並べて配置された２つの分岐接続部２４,２４が、ヘッダー本体部２０を挟んで対称な周方向の位置関係で２組設けられている。ヘッダー１２は、下向きに延在する給水配管１０の下端に主管接続部２２が接続されて、主管接続部２２が上向きになると共にヘッダー本体部２０から突出する分岐接続部２４が横向きになる姿勢で設置される(図２参照)。また、ヘッダー１２は、給水配管１０に対してヘッダー本体部２０が回転可能に構成されており、ヘッダー１２の上端に接続される給水配管１０に対してヘッダー本体部２０を上下の軸周りに回転して、分岐接続部２４の向きを変更可能になっている。
【００１７】
図４に示すように、主管接続部２２は、ヘッダー本体部２０と別体に形成されており、給水配管１０とねじ接続される主管取付部２６と、ヘッダー本体部２０と嵌め合わせて接続される本体取付部２８とを備えている。また、主管接続部２２とヘッダー本体部２０との間には、主管接続部２２(給水配管１０)に対するヘッダー本体部２０の回転を許容するヘッダー接続機構が設けられている。主管接続部２２とヘッダー本体部２０とは、ヘッダー接続機構によって、主管接続部２２の本体取付部２８とヘッダー本体部２０との嵌め合いにより機械的に抜け止めされて、ワンタッチ接続される。
【００１８】
図４に示すように、主管接続部２２は、給水上流側(上側)に形成された主管取付部２６と比べて給水下流側(下側)に形成された本体取付部２８の内径および外径が大きく形成された円筒形状である。主管接続部２２は、主管取付部２６の内周面が、給水配管１０に形成された雄ねじがねじ込まれる雌ねじになっている。本体取付部２８には、ロック溝部３０が内周面全周に亘って凹状に形成されており、ロックリング３２がロック溝部３０に配置されている。ロックリング３２は、Ｃリングのように端が繋がっていない円環状に形成された金属等からなる部材であり、本体取付部２８の内周面に沿って周方向へ回転可能な状態でロック溝部３０に保持されている。ロック溝部３０は、給水下流側に延在するロック案内面３１が、給水上流側から下流側へ向かうにつれて内方へ傾くように形成され、ロック案内面３１に当たったロックリング３２を内方へ向けて縮径するように案内する。また、本体取付部２８には、内周面全周に亘る凹状のシール溝部３４が、ロック溝部３０よりも給水上流側に形成されている。シール溝部３４には、ゴム等の弾力性がある材料からなる円環形状のシール部材３６が配置されている。シール部材３６は、例えばＯリング等の汎用品を用いることができ、本体取付部２８の内周面に沿って周方向へ回転可能な状態で、シール溝部３４に保持されている。
【００１９】
図４に示すように、ヘッダー本体部２０には、給水上流側の開口全周に亘って鍔状に外方へ張り出した係止部３８が設けられ、係止部３８を含む上端部を主管接続部２２の本体取付部２８の内側に差し込んで、主管接続部２２と接続される。より具体的には、ヘッダー本体部２０の上端部を本体取付部２８の給水下流側の開口から挿入すると、係止部３８によってロックリング３２が外方へ押し開かれ、ロックリング３２を乗り越えた係止部３８の挿入が許容される。係止部３８がロックリング３２を乗り越えると、ロックリング３２が係止部３８の外径よりも縮径すると共に、係止部３８がシール部材３６の内側に嵌まり、シール部材３６が係止部３８の外周面に押し当てられる。これにより、主管接続部２２とヘッダー本体部２０との間が封止された状態で両者が接続する。主管接続部２２とヘッダー本体部２０との接続状態では、主管接続部２２に対して回転可能に保持されたロックリング３２およびシール部材３６の回転、あるいはロックリング３２およびシール部材３６に対するヘッダー本体部２０の摺動が許容されて、主管接続部２２に対してヘッダー本体部２０の相対的な回転が可能である。
【００２０】
主管接続部２２からヘッダー本体部２０が相対的に抜ける方向に力が加わると、係止部３８に押されたロックリング３２がロック案内面３１の傾斜により内方へ付勢されることになる。これにより、係止部３８がロックリング３２に引っ掛かって、主管接続部２２からヘッダー本体部２０の抜け出しが規制される。実施例では、主管接続部２２のロック溝部３０(ロック案内面３１)およびロックリング３２、ヘッダー本体部２０の係止部３８によって、主管接続部２２とヘッダー本体部２０とをワンタッチ接続すると共に両者の相対的な回転を許容するヘッダー接続機構が構成されている。このように、ヘッダー接続機構は、ヘッダー本体部２０と主管接続部２２とを嵌め合わせることで該主管接続部２２に対して該ヘッダー本体部２０を機械的に抜け止めするワンタッチ接続構造になっている。
【００２１】
図４(ａ)に示すように、ヘッダー１２には、４つの分岐接続部２４が設けられているが、何れも構成が同じである。図５に示すように、分岐接続部２４は、ヘッダー本体部２０から突出するように一体的に形成された円筒形状であり、ロック溝部３０が外周面全周に亘って凹状に形成されている。実施例の分岐接続部２４は、給水上下流方向に離して設けられた２条のロック溝部３０,３０を備え、ロック溝部３０のそれぞれにロックリング３２が配置されている。ロック溝部３０には、給水下流側に延在するロック案内面３１が、給水上流側から下流側へ向かうにつれて外方へ傾くように形成され、ロック案内面３１に当たったロックリング３２を外方へ向けて拡開するように案内する。ロックリング３２は、分岐接続部２４の外周面に沿って周方向へ回転可能な状態でロック溝部３０に保持されている。分岐接続部２４は、外周面全周に亘って凹状に形成されたシール溝部３４を備え、シール部材３６がシール溝部３４に配置されている。シール部材３６は、分岐接続部２４の外周面に沿って周方向へ回転可能な状態で、シール溝部３４に保持されている。実施例の分岐接続部２４には、給水上下流方向に離して配置された２条のロック溝部３０,３０の間に２条のシール溝部３４,３４が設けられ、シール溝部３４のそれぞれにシール部材３６が配置されている。なお、ロックリング３２およびシール部材３６は、前述と同様である。
【００２２】
図５(ｂ)に示すように、分岐接続部２４は、枝配管１４の内側に差し込む(分岐接続部２４の外側に枝配管１４を嵌め込む)ことで、枝配管１４の内周面によってロックリング３２が内方へ押されて縮径し、ロックリング３２を乗り越えて枝配管１４の嵌め込みが許容される。枝配管１４がロックリング３２を乗り越えると、枝配管１４の内周面にシール部材３６が当たり、分岐接続部２４と枝配管１４との間が封止された状態で両者が接続する。分岐接続部２４と枝配管１４との接続状態では、分岐接続部２４に対して回転可能に保持されたロックリング３２およびシール部材３６の回転、あるいはロックリング３２およびシール部材３６に対して枝配管１４が摺動することで、分岐接続部２４を軸とした枝配管１４の相対的な回転が許容される。分岐接続部２４から枝配管１４が相対的に抜ける方向に力が加わると、枝配管１４の内周面に押されたロックリング３２がロック案内面３１の傾斜により外方へ付勢されることになる。これにより、ロックリング３２が枝配管１４の内周面にくさびのように引っ掛かって、分岐接続部２４からの枝配管１４の抜け出しが規制される。このように、実施例では、分岐接続部２４のロック溝部３０(ロック案内面３１)およびロックリング３２によって、分岐接続部２４と枝配管１４とをワンタッチ接続すると共に両者の相対的な回転を許容する枝管接続機構が構成されている。
【００２３】
ヘッダー１２は、合成樹脂や金属あるいはこれらの複合により構成することができるが、軽量にする観点から合成樹脂を主体とすることが好ましい。実施例のヘッダー１２は、ヘッダー本体部２０および分岐接続部２４が、ロックリング３２およびシール部材３６を除いて、合成樹脂によって一体的に形成された成形品であり、例えば、耐熱性や耐薬品性に優れ、難燃剤を添加しなくても自己消化性を有するポリフェニレンサルファイド樹脂(ＰＰＳ)などにガラス繊維などの繊維強化材が入ったもの等がスプリンクラー設備用として好適である。また、主管接続部２２は、鋳鉄などの金属素材を用いることが好ましい。
【００２４】
枝配管１４は、湾曲変形可能な可撓性を有する可撓管が用いられている。また、枝配管１４は、力を加えていない状態において、径方向へ曲げたり、直線状に伸ばしたりした形状を保つことができる形状保持性を有していることが望ましい。枝配管１４としては、合成樹脂や金属、あるいはこれらの複合材料などを用いることができるが、軽量化と耐熱性とを両立させる観点から、例えば、アルミニウム(バリア層)を内層ポリエチレン(母材)と外層ポリエチレン(保護層)の間に接着性樹脂を介してサンドイッチ状に挟んで構成されたアルミ複合ポリエチレン管が好ましい。枝配管１４は、ヘッダー１２の分岐接続部２４およびヘッド継手１６の枝管接続部４２と接続するために、端末をねじ加工するなど、特に加工を必要としない。
【００２５】
図６および図７に示すように、ヘッド継手１６は、給水上流側の開口と給水下流側の開口との向きが９０°変わるエルボであり、実施例では、給水上流側と比べて給水下流側が長くなっている。ヘッド継手１６は、継手本体部４０における給水上流側の一端に設けられ、横向きに敷設される枝配管１４の給水下流端(他端)と接続される枝管接続部４２と、継手本体部４０における給水下流側の他端に設けられ、下向きに設置されるスプリンクラーヘッド１８と接続されるヘッド接続部４４とを有している。継手本体部４０とヘッド接続部４４との接続機構は、スプリンクラーヘッド１８との接続状態で継手本体部４０に対するスプリンクラーヘッド１８の相対的な回転を許容するよう構成されている。
【００２６】
図８に示すように、枝管接続部４２は、分岐接続部２４と同様の構成であり、分岐接続部２４と給水上下流方向の向きが変わっている。枝管接続部４２は、円筒形状であり、ロック溝部３０が外周面全周に亘って凹状に形成されている。実施例の枝管接続部４２は、給水上下流方向に離して設けられた２条のロック溝部３０,３０を備え、ロック溝部３０のそれぞれにロックリング３２が配置されている。ロック溝部３０には、給水上流側に延在するロック案内面３１が、給水下流側から上流側へ向かうにつれて外方へ傾くように形成され、ロック案内面３１に当たったロックリング３２を外方へ向けて拡開するように案内する。ロックリング３２は、枝管接続部４２の外周面に沿って周方向へ回転可能な状態でロック溝部３０に保持されている。また、枝管接続部４２は、外周面全周に亘って凹状に形成されたシール溝部３４を備え、シール部材３６がシール溝部３４に配置されている。実施例の枝管接続部４２には、給水上下流方向に離して配置された２条のロック溝部３０,３０の間に２条のシール溝部３４,３４が設けられ、シール溝部３４のそれぞれにシール部材３６が配置されている。なお、ロックリング３２およびシール部材３６は、前述と同様である。分岐接続部２４と同様に、枝管接続部４２のロック溝部３０(ロック案内面３１)およびロックリング３２によって、枝管接続部４２と枝配管１４とをワンタッチ接続すると共に両者の相対的な回転を許容する枝管接続機構が構成されている。なお、枝管接続部４２における枝配管１４の嵌め込みおよび抜け止め構造は、分岐接続部２４と同様であるので説明を省略する。
【００２７】
図９に示すように、ヘッド接続部４４は、継手本体部４０と別体に形成されており、継手本体部４０に嵌め合わせて接続される継手取付部４６と、スプリンクラーヘッド１８とねじ接続されるヘッド取付部４８とを備えている。ヘッド接続部４４は、継手取付部４６が給水上流側(上側)に形成されると共に、ヘッド取付部４８が給水下流側(下側)に形成された円筒形状である。継手取付部４６には、外周面全周に亘る凹状のシール溝部３４が２条形成されている。シール溝部３４には、ゴム等の弾力性がある素材からなる円環形状のシール部材３６が配置されている。シール部材３６は、例えばＯリング等の汎用品を用いることができ、継手取付部４６の外周面に沿って周方向へ回転可能な状態で、シール溝部３４に保持されている。ヘッド取付部４８の内周面は、スプリンクラーヘッド１８の上端部に形成された雄ねじがねじ込まれる雌ねじになっている。継手本体部４０には、給水下流側の開口全周に亘って鍔状に外方へ張り出した本体フランジ部４１が設けられ、継手本体部４０の内側に差し込まれる継手取付部４６の根元において鍔状に外方へ張り出す取付フランジ部４５と本体フランジ部４１とが突き当たる。取付フランジ部４５と本体フランジ部４１とを挟んで取り付けられるファスナー５０(図１０)によって、継手本体部４０とヘッド接続部４４とが相対的に回転可能な状態で接続される。
【００２８】
ヘッド継手１６は、合成樹脂や金属あるいはこれらの複合により構成することができるが、軽量にするために合成樹脂を主体とすることが好ましい。実施例のヘッド継手１６は、継手本体部４０および枝管接続部４２が、ロックリング３２およびシール部材３６を除いて合成樹脂によって一体的に形成された成形品であり、例えば、耐熱性や耐薬品性に優れ、難燃剤を添加しなくても自己消化性を有するポリフェニレンサルファイド樹脂(ＰＰＳ)などにガラス繊維などの繊維強化材が入ったもの等がスプリンクラー設備用として好適である。また、ヘッド接続部４４は、鋳鉄などの金属素材を用いることが好ましい。
【００２９】
前述した「ワンタッチ接続」とは、２つの接続対象のうちの一方を他方に相対的に嵌めるだけで、２つの接続対象のうちの一方または両方に設けられた接続機構が他方に引っ掛かったり、他方に食い込んだり、他方を絞り込んだりするなどの機械的な方式によって２つの接続対象同士が抜け止めされる接続態様をいう。従って、「ワンタッチ接続」は、接着剤や溶着などの化学的な方式による接続や、２つの接続対象のうちの一方を他方へねじ込むねじ接続や、配管バンドによるバンド接続などの一方を他方に嵌め込んだ後に別の固定具により接続する態様よりも、接続対象同士を簡単に接続することができ、また、接着剤や溶着装置や工具や固定具などの別のものを用意する必要もない。「ワンタッチ接続」は、２つの接続対象の接続の仕方が直感的に判り易く、技術力や経験がない作業者であっても、２つの接続対象を容易に、かつ効率的に接続することができる。なお、実施例において、主管接続部２２とヘッダー本体部２０とを接続するヘッダー接続機構、枝配管１４と分岐接続部２４とを接続する枝管接続機構、枝配管１４とヘッド継手１６の枝管接続部４２とを接続する枝管接続機構の構成要素は、基本的に同じであるので、同じ機能を有する部位および部材には同じ名称および同一の符号を付して説明している。
【００３０】
次に、前述した配管構造の施工について説明する。枝配管１４、ヘッド継手１６およびスプリンクラーヘッド１８は、工場で予め組み立てられたアッセンブリーとして、建築物の施工現場に搬入される。施工現場に搬入されたアッセンブリーは、現場において枝配管１４をコイル状に丸めるように巻いて、この巻いた姿で、天井に升目状に組まれた軽量鉄骨からなるフレーム材の升目から挿入して、天井裏へ運び込まれる。ここで、枝管接続機構によって、枝配管１４がヘッド継手１６の枝管接続部４２にワンタッチ接続されるので、枝配管１４およびヘッド継手１６の組み付け作業に作業者の高い技術力や経験を必要とせず、作業者の質に左右されずに多様な作業者によって容易に行うことができる。また、接着剤の塗布やねじ加工などの接続のための処理を枝配管１４および／またはヘッド継手１６に施す必要はなく、ヘッド継手１６の枝管接続部４２を枝配管１４の内側に相対的に差し込むだけで接続できるので、効率的であり、施工性に優れている。
【００３１】
ヘッダー１２は、主管接続部２２とヘッダー本体部２０とが別々に建築物の施工現場に搬入される。まず、主管接続部２２の主管取付部２６を、給水配管１０の下端にねじ切り加工により予め形成されたねじにねじ込み、主管接続部２２を給水配管１０の下端にねじ接続する(図３参照)。ヘッダー本体部２０の上端部を、主管接続部２２の本体取付部２８に差し込み、ヘッダー接続機構によって、主管接続部２２とヘッダー本体部２０とを組み付ける。この際、ヘッダー接続機構によって、主管接続部２２とヘッダー本体部２０とがワンタッチ接続されるので、主管接続部２２とヘッダー本体部２０との組み付け作業に作業者の高い技術力や経験を必要とせず、作業者の質に左右されずに多様な作業者によって容易に行うことができる。また、接着剤の塗布やねじ加工などの接続のための処理を主管接続部２２および／またはヘッダー本体部２０に施す必要はなく、主管接続部２２とヘッダー本体部２０とを嵌め合わせるだけで接続できるので、効率的であり、施工性に優れている。ここで、ヘッダー１２は、主管接続部２２を上向きにすると共に分岐接続部２４を横向きにした縦姿勢で設置しているので、ヘッダー１２の占める水平スペースを抑えることができる。また、横向きに伸ばすように設置される枝配管１４が、横向きの分岐接続部２４から無理なく延びることになるので、枝配管１４の施工を容易に、かつ効率的に行うことができる。
【００３２】
次に、アッセンブリーの枝配管１４をヘッダー１２の分岐接続部２４に接続する。この際、枝管接続機構によって、枝配管１４と分岐接続部２４とがワンタッチ接続されるので、枝配管１４とヘッダー１２との組み付け作業に作業者の高い技術力や経験を必要とせず、作業者の質に左右されずに多様な作業者によって容易に行うことができる。また、接着剤の塗布やねじ加工などの接続のための処理を枝配管１４および／またはヘッダー１２に施す必要はなく、枝配管１４と分岐接続部２４とを嵌め合わせるだけで接続できるので、効率的であり、施工性に優れている。コイル状に巻かれた枝配管１４をそれぞれ伸ばして、ヘッダー１２に繋がる４つのスプリンクラーヘッド１８のそれぞれを天井における所定位置に配置する。この際、分岐接続部２４を軸として枝配管１４の回転が許容されているので、コイル状に巻かれた枝配管１４のねじれを、枝配管１４を回転することで直すことができ、狭い天井であっても、枝配管１４の敷設作業を容易に、かつ効率的に行うことができる。しかも、給水配管１０に固定された主管接続部２２に対して、枝配管１４が繋がる分岐接続部２４が設けられたヘッダー本体部２０が回転可能に取り付けられているので、スプリンクラーヘッド１８の設置位置などに応じて、ヘッダー１２の分岐接続部２４の向きを簡単に変えることができる。このように、ヘッダー本体部２０が給水配管１０に対して回転することで、枝配管１４を伸ばしてスプリンクラーヘッド１８を位置合わせする作業を容易に、かつ効率的にすることができる。
【００３３】
スプリンクラーヘッド１８が設置位置に到達するまで枝配管１４を伸ばした後、スプリンクラーヘッド１８の放水口が下向きになるように、スプリンクラーヘッド１８の姿勢を整える。この際、枝配管１４を軸としてヘッド継手１６の回転が許容されているので、ヘッド継手１６に接続されたスプリンクラーヘッド１８の姿勢を、ヘッド継手１６を回転することで直すことができ、狭い天井であっても、スプリンクラーヘッド１８の姿勢調整を容易に行うことができる。しかも、スプリンクラーヘッド１８は、ヘッド継手１６に対して回転が許容されているので、放水口の水平向きを適切に調整することもできる。
【００３４】
枝配管１４よりも太く、金属の直管で構成されている給水配管１０と主管接続部２２との接続には、ねじ加工やねじ込み接続作業(ねじ山同士の気密性を高めるためにねじ山にシールテープ等を巻いたり、パイプレンチ等を用いて給水配管１０と主管接続部２２とを接続したりする等)などには高い技術力や経験が要求される。前述した配管構造によれば、ねじ加工やねじ込み接続作業の必要がなく、主管接続部２２へのヘッダー本体部２０の取り付け、分岐接続部２４への枝配管１４の取り付け、枝配管１４へのヘッド継手１６の取り付けおよびヘッド継手１６へのスプリンクラーヘッド１８の取り付けの何れも高い技術力や経験を必要としない。従って、前記配管構造によれば、作業者の技術力や経験に左右されず、若年者や外国人などの多様な作業者によっても、現場での施工を容易に行うことができ、かつ施工性を向上することができる。
【００３５】
スプリンクラー設備の配管構造は、ヘッダー本体部２０、ヘッダー本体部２０に複数設けられた分岐接続部２４、枝配管１４およびヘッド継手１６を樹脂から構成することで、軽くすることができる。なお、ヘッド接続部４４およびスプリンクラーヘッド１８は、金属素材から構成されるものの、部品自体が小さく、当該配管構造全体の重量の増加への影響は少ない。このため、ヘッダー１２から敷設される枝配管１４等の自重を支えるための配管支持部材(図示せず)の設置数を減らしたり、簡易にしたり、あるいは無くすことが可能となり、現場での施工性をより向上させることができる。
【００３６】
(変更例)
前述した実施例に限らず、例えば以下のように変更してもよい。
(１)ヘッダー接続機構および／または枝管接続機構としては、ワンタッチ接続した後に、ヘッド継手の継手本体部とヘッド接続部との接続機構のように、ファスナー等の固定具によって接続部分を補強してもよい。
(２)実施例では、アッセンブリーを現場に搬入する例を説明したが、現場において組み立ててもよい。
(３)枝配管をコイル状に丸めた姿で現場に搬入してもよい。
【符号の説明】
【００３７】
１０ 給水配管，１２ ヘッダー，１４ 枝配管，１６ ヘッド継手，
１８ スプリンクラーヘッド，２０ ヘッダー本体部，２２ 主管接続部，
２４ 分岐接続部，４０ 継手本体部，４２ 枝管接続部，４４ ヘッド接続部
【図１】
2019170717.tif 000003
【図２】
2019170717.tif 000004
【図３】
2019170717.tif 000005
【図４】
2019170717.tif 000006
【図５】
2019170717.tif 000007
【図６】
2019170717.tif 000008
【図７】
2019170717.tif 000009
【図８】
2019170717.tif 000010
【図９】
2019170717.tif 000011
【図１０】
2019170717.tif 000012